(57)【要約】【課題】加熱効率を高めて調理性能を向上させた電気加熱調理器を提供する。【解決手段】前面に開口５６を有する加熱室５１を形成する内筐体５０と、前記開口５６を開閉する扉５２と、前記内筐体５０内の上下に配した上、下ヒーター５３、５４と、前記上・下ヒーター５３、５４間に配した焼き網５５と、一端が前記扉５２に回動自在に支持され、他端が前記内筐体５０に摺動自在に支持されると共に、前記扉５２を閉じた時に、前記焼き網５５の前部下方に位置する反射板５８を備えたもので、扉５２を閉じて通常の加熱調理を行う時には、反射板５８が下ヒーター５４に近接して熱反射効率が高まると共に、被調理物（図示せず）の前部が効率よく加熱されて、調理性能が向上する。又、扉５２を開放した時に、扉５２の開動作に連動して反射板５８が手前に飛び出すようにすれば、反射板５８の清掃が容易になり、使用勝手の良い加熱調理器を提供することができる。【選択図】図１
2007205623.tif 000002
【特許請求の範囲】
【請求項１】
前面に開口を有する加熱室を形成する内筐体と、前記開口を開閉する扉と、前記内筐体内の上下に配した上、下ヒーターと、前記上・下ヒーター間に配した焼き網と、一端が前記扉に回動自在に支持され、他端が前記内筐体に摺動自在に支持されると共に、前記扉を閉じた時に、前記焼き網の前部下方に位置する反射板を備えた電気加熱調理器。
【請求項２】
扉を開放した時に、反射板が、前記扉の下部と内筐体との間の隙間を覆う請求項１に記載の電気加熱調理器。
【発明の詳細な説明】
【技術分野】
【０００１】
本発明は、一般家庭用のオーブントースター等ヒーターを備えた電気加熱調理器に関するものである。
【背景技術】
【０００２】
従来、この種の電気加熱調理器は、内筐体内の上下に配した上、下ヒーター間に焼き網を摺動自在に設けるとともに、その焼き網を、内筐体の前部開口を開閉する扉に一側を係止して連動させ、焼き網の下方には屑受け皿を配置したのが一般的な構成である（例えば、特許文献１参照）。
【０００３】
図４は、上記特許文献１に記載された従来の電気加熱調理器を示すものである。
【０００４】
同図において、３２は、前面に開口３１を有する調理室３０を形成する内筐体で、内部に上ヒーター３４ａ、下ヒーター３４ｂを備えている。３７は扉体で、前記開口３１を開閉自在に設けている。３９は焼き網で、上、下ヒーター３４ａ、３４ｂの間に配してある。焼き網３９の下部には屑受け皿３６を配して構成している。
【特許文献１】特開昭６３−１５０５２７号公報（第４頁、第１図）
【発明の開示】
【発明が解決しようとする課題】
【０００５】
しかしながら、前記従来の電気加熱調理器の構成では、焼き網３９の上に食パン等（図示せず）を置いて加熱すると、食パンの後方は、固定された内筐体３２の反射で均一に焼けるのに対して前部は、熱質量の大きい扉体３７の影響や、隙間を通して外部から侵入する冷たい空気の影響で焼けにくくなっている。又、屑受け皿３６の反射熱を食パンの前部下方に集めて加熱ムラを防ぐようにしているが、反射部と下ヒーター３４ｂ間が遠く、反射熱の効果が薄く食パンの焼きムラが生じるという課題を有していた。
【０００６】
本発明は、前記従来の課題を解決するもので、扉の回動に支障が生じず、かつ下ヒーターからの反射熱の効果を大きくして、調理性能の優れた電気加熱調理器を提供することを目的とするものである。
【課題を解決するための手段】
【０００７】
前記従来の課題を解決するために、本発明の電気加熱調理器は、前面に開口を有する加熱室を形成する内筐体と、前記開口を開閉する扉と、前記内筐体内の上下に配した上、下ヒーターと、前記上・下ヒーター間に配した焼き網と、一端が前記扉に回動自在に支持され、他端が前記内筐体に摺動自在に支持されると共に、前記扉を閉じた時に、前記焼き網の前部下方に位置する反射板を備えたもので、扉を閉じて通常の加熱調理を行う時には、反射板が下ヒーターに近接して、熱の反射効率が高まると共に、被調理物の前部も効率よく加熱されるので調理性能が大幅に向上する。又、扉を開放したときに、扉の開動作に連動して反射板が手前に飛び出すようにすれば、反射板の清掃も容易になり、使用勝手の良い電気加熱調理器を提供することができる。
【発明の効果】
【０００８】
本発明の電気加熱調理器は、加熱時の下ヒーターからの反射熱を大きく食パン等の被調理物に反射させることができ加熱効率が高く、調理性能の高い電気加熱調理器を提供することができる。
【発明を実施するための最良の形態】
【０００９】
第１の発明は、前面に開口を有する加熱室を形成する内筐体と、前記開口を開閉する扉と、前記内筐体内の上下に配した上、下ヒーターと、前記上・下ヒーター間に配した焼き網と、一端が前記扉に回動自在に支持され、他端が前記内筐体に摺動自在に支持されると共に、前記扉を閉じた時に、前記焼き網の前部下方に位置する反射板を備えたもので、扉を閉じて通常の加熱調理を行う時には、反射板が下ヒーターに近接して、熱の反射効率が高まると共に、被調理物の前部も効率よく加熱されるので調理性能が大幅に向上する。又、扉を開放したときに、扉の開動作に連動して反射板が手前に飛び出すようにすれば、反射板の清掃も容易になり、使用勝手の良い電気加熱調理器を提供することができる。
【００１０】
第２の発明は、特に、第１の発明の扉を開放した時に、反射板が、前記扉の下部と内筐体との間の隙間を覆うようにしたもので、扉の開閉と共にパンなどの被調理物が載った焼き網が引き出されたとき、同時に引き出された反射板が、扉の下部と内筐体との間の隙間を覆っているので、被調理物からくずなどがこぼれても、扉の下部と内筐体との間の隙間からテーブルの上に落下することが無く衛生的で、又、後片付けも容易である。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における電気加熱調理器の縦断面図（扉閉止時）、図２は、同電気加熱調理器の縦断面図（扉開放時）、図３は、同電気加熱調理器の正面図である。
【００１３】
図１〜３において、５０は、前面に開口５６を有する加熱室５１を形成する内筐体で、５２は、開口５６を開閉する扉で、その下端は、内筐体５０に回動自在に支持されている。内筐体５０内の上方に上ヒーター５３が、下方には下ヒーター５４がそれぞれ配され、前記上・下ヒーター５３、５４間には焼き網５５を配している。焼き網５５の一側は、扉５２に回動自在に支持され、他端は、内筐体５０に設けた長穴６０内を摺動する網棒６１に支持され、扉５２の開閉に連動して内筐体５０内を前後に移動できるようになっている。
【００１４】
５７は、屑受け皿で、焼き網５５の下方に配されている。５８は、反射板で、その一端は、扉５２の焼き網５５の支持部６２より下方で、扉５２に回動自在に支持され、他端は、内筐体５０に設けた長孔Ｂ６３に沿って摺動自在に支持されている。
【００１５】
以上のように構成された電気加熱調理器について、以下その動作、作用を説明する。
【００１６】
まず、扉５２を開放して、焼き網５５の上部に食パン等の被調理物（図示せず）を戴置し、扉５２を閉止すると、反射板５８は、扉５２の回動と連動して反射板５８の他端が内筐体５０内を摺動して下ヒーター５４に近接すると共に、焼き網５５の前部下方に位置する。
【００１７】
通電を開始すると、下ヒーター５４の熱は輻射熱とともに、反射板５８からの反射熱で、被調理物の前部下方を効率よく加熱することとなる。また、加熱調理された被調理物を取り出すために、扉５２を開放すると、図２に示すように、扉５２の開動作に連動して、パンなどの被調理物が載った焼き網５５及び反射板５８が前方に引き出される。これにより被調理物の取り出しは勿論、反射板５８の清掃も容易になる。
【００１８】
又、扉５２を開放すると、図２に示すように、扉５２の下部と内筐体５０との間に隙間Ｇが生じるが、引き出された反射板５８が、その隙間Ｇを覆っているので、被調理物からくずなどがこぼれても、その隙間Ｇからテーブル（図示せず）の上に落下することが無く衛生的で、又、後片付けも容易である。
【００１９】
以上のように、本実施の形態によれば、扉５２で一側が回動自在に支持され、他端が内筐体５０内を摺動自在に支持された反射板５８を設けたことにより、焼けにくい内筐体５０の前部の加熱効率を高め調理性能の高い電気加熱調理器を提供することができる。
【産業上の利用可能性】
【００２０】
以上のように、本発明にかかる電気加熱調理器は、焼けにくい内筐体前部の加熱効率が向上し、調理性能に優れたもので、オーブンやロースター等の各種電気加熱調理器にも適用できる。
【図面の簡単な説明】
【００２１】
【図１】本発明の第１の実施の形態における電気加熱調理器の縦断面図（扉閉止時）
【図２】同電気加熱調理器の縦断面図（扉開放時）
【図３】同電気加熱調理器の正面図
【図４】従来の電気加熱調理器の縦断面図
【符号の説明】
【００２２】
５０  内筐体
５１  加熱室
５２  扉
５３  上ヒーター
５４  下ヒーター
５５  焼き網
５６  開口
５７  屑受け皿
５８  反射板
【図１】
2007205623.tif 000003
【図２】
2007205623.tif 000004
【図３】
2007205623.tif 000005
【図４】
2007205623.tif 000006